(57)【要約】【課題】色素系追記型ＤＶＤ媒体に対して高線速記録を行う際に、良好な記録波形を得ることができる記録方法及び記録再生装置の提供。【解決手段】案内溝を有する基板上に形成された有機色素を主成分とする記録層に対し、最短長マークを最も高出力化された１つのパルス光で記録し、２番目以降の長さのマークを、最短長マークのパルスパワー以下で、かつパルス先端部と後端部の２カ所が一定時間高出力化された１つのパルス光で記録するに当たり、前記マーク記録時において、マーク形成に対応するパルス光の前に、マーク形成に対応するパルス光以外の照射光であって、そのパルスパワーが最短長マークのパルスパワーの１．２〜２２％である光を照射し、かつ記録線速度を１２ｍ／ｓ以上とすることを特徴とする色素系追記型ＤＶＤ媒体の記録方法及び記録再生装置。【選択図】図５
2006252750.tif 000002
【特許請求の範囲】
【請求項１】
案内溝を有する基板上に形成された有機色素を主成分とする記録層に対し、最短長マークを最も高出力化された１つのパルス光で記録し、２番目以降の長さのマークを、最短長マークのパルスパワー以下で、かつパルス先端部と後端部の２カ所が一定時間高出力化された１つのパルス光で記録するに当たり、マーク形成に対応するパルス光の前に、マーク形成に対応するパルス光以外の照射光であって、そのパルスパワーが最短長マークのパルスパワーの１．２〜２２％である光を照射し、かつ記録線速度を１２ｍ／ｓ以上とすることを特徴とする色素系追記型ＤＶＤ媒体の記録方法。
【請求項２】
パルス後端部以降にクーリングパルスを設け、その照射光量を０．７５ｍＷ以下とし、照射する時間を、基本クロック周期Ｔの４０／１６以下の長さとすることを特徴とする請求項１記載の色素系追記型ＤＶＤ媒体の記録方法。
【請求項３】
案内溝がウォブル溝により形成され、該ウォブルの周波数が基本クロック周期をＴとして４Ｔ〜９６Ｔであることを特徴とする請求項１又は２記載の色素系追記型ＤＶＤ媒体の記録方法。
【請求項４】
パルス光の波長が６００〜７２０ｎｍであることを特徴とする請求項１〜３の何れかに記載の色素系追記型ＤＶＤ媒体の記録方法。
【請求項５】
ＤＶＤ信号に対する記録線速度が３．８３±０．０３ｍ／ｓであることを特徴とする請求項１〜４の何れかに記載の色素系追記型ＤＶＤ媒体の記録方法。
【請求項６】
マーク形成に対応するパルス光以外の照射光のパワーを、最短長マークのパルスパワーの２．４〜１９．５％とし、かつ記録線速度を３０ｍ／ｓ以上とすることを特徴とする請求項１〜５の何れかに記載の色素系追記型ＤＶＤ媒体の記録方法。
【請求項７】
色素系追記型ＤＶＤ媒体が、基板上に、記録層の他に、反射層、保護層、接着層、保護基板、基板面ハードコート層から選ばれる少なくとも一つの層を有することを特徴とする請求項１〜６の何れかに記載の色素系追記型ＤＶＤ媒体の記録方法。
【請求項８】
色素系追記型ＤＶＤ媒体が反射層を有し、該反射層が、金、銀、アルミニウムの何れか、又はそれらを主成分とする合金からなることを特徴とする請求項７に記載の色素系追記型ＤＶＤ媒体の記録方法。
【請求項９】
色素系追記型ＤＶＤ媒体が、ウォブルを設けた案内溝を有する基板上に少なくとも記録層、反射層、保護層を有し、更に接着層を介して保護基板を有する構造（単層型）であるか、或いは、ウォブルを設けた案内溝を有する基板上に少なくとも記録層、反射層、保護層を有する構成単位が２組、紫外線硬化樹脂からなる接着層を介して基板が外側になるように貼り合わされた構造（２層型）であることを特徴とする請求項７又は８記載の色素系追記型ＤＶＤ媒体の記録方法。
【請求項１０】
請求項１〜９の何れかに記載の記録方法を実施するのに最適な最短長マークのパルスパワー情報と、マーク形成に対応するパルス光以外の照射光のパワー情報が、予め案内溝に記録されていることを特徴とする色素系追記型ＤＶＤ媒体。
【請求項１１】
案内溝を有する基板上に形成された有機色素を主成分とする記録層に対し、最短長マークを最も高出力化された１つのパルス光で記録し、２番目以降の長さのマークを、最短長マークのパルスパワー以下で、かつパルス先端部と後端部の２カ所が一定時間高出力化された１つのパルス光で記録するに当たり、前記マーク記録時において、マーク形成に対応するパルス光の前に、マーク形成に対応するパルス光以外の照射光であって、そのパルスパワーが最短長マークのパルスパワーの１．２〜２２％である光を照射し、かつ記録線速度を１２ｍ／ｓ以上とする機能を有することを特徴とする色素系追記型ＤＶＤ媒体の記録再生装置。
【請求項１２】
請求項１０記載の色素系追記型ＤＶＤ媒体を用いることにより、該媒体の案内溝に予め記録されているパルスパワー情報に基づいて記録条件が設定される機能を有することを特徴とする記録再生装置。
【発明の詳細な説明】
【技術分野】
【０００１】
本発明は、色素系追記型ＤＶＤ媒体の記録方法及び記録再生装置に関する。また、これに適した色素系追記型ＤＶＤ媒体に関する。
【背景技術】
【０００２】
現在、大容量光ディスクとしてＤＶＤ±Ｒの高速化開発が進められている。記録容量の向上のためには、要素技術として、記録ピット微少化のための記録材料開発、ＭＰＥＧ２に代表される画像圧縮技術の採用、記録ピット読み取りのための半導体レーザの短波長化等が必要である。
これまで赤色波長域の半導体レーザとしては、バーコードリーダや計測器用に６７０ｎｍ帯のＡｌＧａＩｎＰレーザダイオードが商品化されているのみであったが、光ディスクの高密度化に伴い、赤色レーザが本格的に光ストレージ市場で使用されている。ＤＶＤドライブの場合、光源として６３５ｎｍ帯と６５０ｎｍ帯のレーザダイオードで２つの波長で規格化されている。一方、再生専用のＤＶＤ−ＲＯＭドライブは波長〜６５０ｎｍで商品化されている。
一般的にヒートモードによってピット（マーク）が形成される色素系追記型ＤＶＤ媒体は、特定の記録速度において記録時のレーザ発光による記録パルスのパルス幅と記録パワーが最適化され、異なった記録線速度では形成されるマークやスペースの状態が変化する。即ち、マークの形成に必要な加熱パルスによる熱容量の不足が生じたり、最適な分解温度に対して到達する加熱温度が異なってマークの平均長がばらついたり、最適な加熱パルスのデューティ比が異なって均一なマーク幅が得られなくなりマーク長に応じて太りや細りが生じたりするため、ジッター特性が悪化してしまう。
【０００３】
このような背景から、例えばＤＶＤ＋Ｒについては、記録パルスの発光波形が、非特許文献１〜２に記述されている。前者は１６倍速対応単層型、後者は２．４倍速対応２層型のＤＶＤ＋Ｒ媒体に関する規格書である。しかし、特に２層型媒体に２．４倍速以上の記録速度にて記録する場合に、上記の規格書に記述された記録パルス発光波形では記録媒体によっては充分な品質が得られない場合があった。
また、ＤＶＤ系媒体の物理フォーマットに関しては、ＤＶＤ−Ｒ媒体のフォーマットの場合、ランドプリピットと呼ばれるランド部の一部をカットしたフォーマットで規格化されている。この方式をとると、ランドプリピット信号（ＬＰＰｂ）が０．１６未満ではプリピットアドレス等のプリピット情報が良好に再生できず、０．３２を越えるとＬＰＰ信号自体がデータ領域においてノイズ的な振る舞いをし、データエラーが多く発生してしまう。従って、ＬＰＰは、記録材料に合ったカット幅をスタンパで微調整して、ＬＰＰｂが０．１６〜０．３２の範囲になるようにランドカット幅を制御しなければならない。
【０００４】
なお、色素を記録層に用いた光記録媒体の公知例としては、ポリメチン色素或いはポリメチン色素と光安定化材を記録材料として用いるもの、テトラアザポルフィリン（ポルフィラジン）色素又はシアニン色素＋アゾ金属キレート色素（塩形成色素）からなる層と反射層を記録層とするもの、ホルマザン（金属キレート）色素＋その他の色素を記録材料として用いるもの、ジピロメテン（金属キレート）色素＋その他の色素を記録材料として用いるものなどがあり、枚挙に暇がない。また、記録材料に色素を用いマルチパルス記録を行うものも多数知られているが、本発明者等の知る限り、本発明のように色素系追記型ＤＶＤ媒体に対し１パルスで記録を行い、かつ高線速記録を行う際の記録波形に着目した文献は見当たらない。参考までに、矩形波又は１マークに対し１本のパルス光を用いる記録方法に関する文献としては、特許文献１〜７などが知られている。
【０００５】
【特許文献１】特開２００１−２４３６２６号公報
【特許文献２】特開２００２−０６３７２１号公報
【特許文献３】特開２００１−２７３６３６号公報
【特許文献４】特開２００２−２９８４１５号公報
【特許文献５】特開２００１−１７６０７３号公報
【特許文献６】特開２００１−１５５３３９号公報
【特許文献７】米国特許第４６４６１０３号明細書
【非特許文献１】ＤＶＤ＋Ｒ  ４．７Ｂｙｔｅｓ  Ｂａｓｉｃ  Ｆｏｒｍａｔ  Ｓｐｅｃｉｆｉｃａｔｉｏｎｓ  Ｖｅｒ１．３
【非特許文献２】ＤＶＤ＋Ｒ  ８．５Ｂｙｔｅｓ  Ｂａｓｉｃ  Ｆｏｒｍａｔ  Ｓｐｅｃｉｆｉｃａｔｉｏｎｓ  Ｖｅｒ１．０
【発明の開示】
【発明が解決しようとする課題】
【０００６】
本発明は、色素系追記型ＤＶＤ媒体に対して１２ｍ／ｓ以上、更には３０ｍ／ｓ以上の高線速記録を行う際に、良好な記録波形を得ることができる記録方法の提供を目的とする。また、本発明はＣＤ系媒体に比べて短波長に発振波長を有する半導体レーザを用いる追記型ＤＶＤシステムの新フォーマット方式であって、ＬＰＰ方式と同様、データの書き足し部における未記録領域を無くす有効な方式、更には、ＤＶＤ−Ｒランドプリピット方式に比較して、スタンパ作製時に於ける微細なカット幅制御やＬＰＰ信号のデータ部への漏れ出しによるデータエラーが生じない優れた方式の提供を目的とする。
【課題を解決するための手段】
【０００７】
上記課題は、次の１）〜１２）の発明（以下、本発明１〜１２という）によって解決される。
１）  案内溝を有する基板上に形成された有機色素を主成分とする記録層に対し、最短長マークを最も高出力化された１つのパルス光で記録し、２番目以降の長さのマークを、最短長マークのパルスパワー以下で、かつパルス先端部と後端部の２カ所が一定時間高出力化された１つのパルス光で記録するに当たり、前記マーク記録時において、マーク形成に対応するパルス光の前に、マーク形成に対応するパルス光以外の照射光であって、そのパルスパワーが最短長マークのパルスパワーの１．２〜２２％である光を照射し、かつ記録線速度を１２ｍ／ｓ以上とすることを特徴とする色素系追記型ＤＶＤ媒体の記録方法。
２）  パルス後端部以降にクーリングパルスを設け、その照射光量を０．７５ｍＷ以下とし、照射する時間を、基本クロック周期Ｔの４０／１６以下の長さとすることを特徴とする１）記載の色素系追記型ＤＶＤ媒体の記録方法。
３）  案内溝がウォブル溝により形成され、該ウォブルの周波数が基本クロック周期をＴとして４Ｔ〜９６Ｔであることを特徴とする１）又は２）記載の色素系追記型ＤＶＤ媒体の記録方法。
４）  パルス光の波長が６００〜７２０ｎｍであることを特徴とする１）〜３）の何れかに記載の色素系追記型ＤＶＤ媒体の記録方法。
５）  ＤＶＤ信号に対する記録線速度が３．８３±０．０３ｍ／ｓであることを特徴とする１）〜４）の何れかに記載の色素系追記型ＤＶＤ媒体の記録方法。
６）  マーク形成に対応するパルス光以外の照射光のパワーを、最短長マークのパルスパワーの２．４〜１９．５％とし、かつ記録線速度を３０ｍ／ｓ以上とすることを特徴とする１）〜５）の何れかに記載の色素系追記型ＤＶＤ媒体の記録方法。
７）  色素系追記型ＤＶＤ媒体が、基板上に、記録層の他に、反射層、保護層、接着層、保護基板、基板面ハードコート層から選ばれる少なくとも一つの層を有することを特徴とする１）〜６）の何れかに記載の色素系追記型ＤＶＤ媒体の記録方法。
８）  色素系追記型ＤＶＤ媒体が反射層を有し、該反射層が、金、銀、アルミニウムの何れか、又はそれらを主成分とする合金からなることを特徴とする７）に記載の色素系追記型ＤＶＤ媒体の記録方法。
９）  色素系追記型ＤＶＤ媒体が、ウォブルを設けた案内溝を有する基板上に少なくとも記録層、反射層、保護層を有し、更に接着層を介して保護基板を有する構造（単層型）であるか、或いは、ウォブルを設けた案内溝を有する基板上に少なくとも記録層、反射層、保護層を有する構成単位が２組、紫外線硬化樹脂からなる接着層を介して基板が外側になるように貼り合わされた構造（２層型）であることを特徴とする７）又は８）記載の色素系追記型ＤＶＤ媒体の記録方法。
１０）  請求項１〜９の何れかに記載の記録方法を実施するのに最適な最短長マークのパルスパワー情報と、マーク形成に対応するパルス光以外の照射光のパワー情報が、予め案内溝に記録されていることを特徴とする色素系追記型ＤＶＤ媒体。
１１）  案内溝を有する基板上に形成された有機色素を主成分とする記録層に対し、最短長マークを最も高出力化された１つのパルス光で記録し、２番目以降の長さのマークを、最短長マークのパルスパワー以下で、かつパルス先端部と後端部の２カ所が一定時間高出力化された１つのパルス光で記録するに当たり、前記マーク記録時において、マーク形成に対応するパルス光の前に、マーク形成に対応するパルス光以外の照射光であって、そのパルスパワーが最短長マークのパルスパワーの１．２〜２２％である光を照射し、かつ記録線速度を１２ｍ／ｓ以上とする機能を有することを特徴とする色素系追記型ＤＶＤ媒体の記録再生装置。
１２）  １０）記載の色素系追記型ＤＶＤ媒体を用いることにより、該媒体の案内溝に予め記録されているパルスパワー情報に基づいて記録条件が設定される機能を有することを特徴とする記録再生装置。
【０００８】
以下、上記本発明について詳しく説明する。
図１に本発明の基本的なパルス照射パターンを示す。
最短長マークのパルス長（Ｔ１）は、基本クロック周期Ｔの１／１６倍〜４８／１６倍が好ましく、特に２５／１６倍〜４８／１６倍が好ましい。パルス長（Ｔ１）が短いと記録感度が低下し易いためである。
また短い方から２番目以降の長さのマーク、即ち最短長マーク以外のマークにおいて、パルスの先端部に上乗せパワーを加えて高出力化する長さ（Ｔ２）は、基本クロック周期Ｔの１／１６倍〜３２／１６倍が好ましく、特に１６／１６倍〜３２／１６倍が好ましい。また、後端部に上乗せパワーを加えて高出力化する長さ（Ｔ３）は、基本クロック周期Ｔの０／１６倍〜３２／１６倍が好ましく、特に０／１６倍〜１６／１６倍が好ましい。
先端部の上乗せ後のパワー（Ｗ１）は、上乗せパワーを加えない部分のパワー（Ｗ２）の１．０倍より大きく２．０倍以下が好ましい。即ち、１．０＜Ｗ１／Ｗ２≦２．０が好ましい。この範囲から外れるとマークの長さが基本クロックからずれやすく、良好なジッターが得にくいためである。更に、Ｗ１、Ｗ２と、最短長マークのパルスパワー（Ｗ０）や最短長マーク以外のマークの後端部の上乗せ後のパワー（Ｗ３）の関係は、Ｗ０≧Ｗ１≧Ｗ３で、且つ、Ｗ１≧Ｗ３のときＷ３＞Ｗ２、Ｗ１＞Ｗ３のときＷ３≧Ｗ２であることが好ましい。
【０００９】
本発明では、各パルス光の前に、マーク形成に対応するパルス光以外の光を照射する。「マーク形成に対応するパルス光以外の照射光」とは、記録時の照射光からマークを形成する記録パルス光（クーリングパルスがある場合にはクーリングパルスを含む）を除いた部分であり、図１の例では記録パルス間のＷ４の照射光レベル部である。
マーク形成に対応するパルス光以外の照射光のパワーＷ４は、最短長マークのパルスパワーＷ０の１．２〜２２％とする。マーク形成に対応するパルス光以外の照射光はマーク形成時のプレヒートの役割があり、そのパワーＷ４がＷ０の１．２〜２２％の場合に良好なジッターを得やすい。１．２％未満ではプレヒート効果が十分に得られず、２２％を超えるとプレヒートにより逆にマーク長がずれるためである。好ましくは２．４〜１９．５％である。
更に、マーク間の熱干渉を低減するためにクーリングパルス（Ｔｃ）を設定しても良く、その場合のパルス照射時間は、基本クロック周期Ｔの４０／１６以下の長さが好ましい。Ｔｃが長くなるとＷ４の照射時間が短くなり、本発明の効果が得にくくなるためである。また、後述する図１１から、ジッターが規格値９％以下になるパワー範囲の広さは、Ｐｃ＝０ｍＷにおいて、Ｔｃの長さが３２／１６Ｔ≒１６／１６Ｔ＞４０／１６Ｔ≒０／１６Ｔの関係にあり、３２／１６Ｔ〜１６／１６Ｔの辺りが最適であって、４０／１６Ｔを超えると最適範囲からますます離れることになり、効果を期待できなくなるためである。
【００１０】
また、記録線速度は１２ｍ／ｓ以上とし、好ましくは３０ｍ／ｓ以上とする。記録線速度の上限は特にないが、現在の記録再生装置では機能的に６０〜７０ｍ／ｓ程度が限界である。
上記のようなパルス波形を選択することにより、特に高線速記録において低ジッターで良好な記録が可能となる。
ＤＶＤ媒体の場合、単層型記録媒体と２層型記録媒体で異なる線密度設定となっており、単層型では３．４９ｍ／ｓ、２層型では３．８３ｍ／ｓであるが、特に２層型記録媒体の記録線密度、即ちＤＶＤ信号に対する記録線速度が３．８３±０．０３ｍ／ｓの場合に、より良好な効果が得られる。
【００１１】
従来技術では１マークを複数パルス光（マルチパルス）で書き込む記録方法も提案されているが、複数のパルス光を用いるため、記録速度が速くなった場合に、パルス光の立ち上がり、立ち下がり時間にばらつきが発生し易く、更に高速応答が難しいため１２.６４ｍ／s以上の記録線速度では採用が困難である。
これに対し本発明では、１マーク当り１パルス光で記録するため、該マルチパルス光記録に比べて記録品質のばらつきが少ない記録方法を提供できる利点がある。また、書き込み中のアドレス検出においては、マルチパルス法よりも単純な記録波形であるため記録時の光量を平均化し易く、スペース部の反射光量だけでなくマーク部の光量も平均化してアドレス検出することが可能となる。更に、パルスの後端に０．７５ｍＷ以下のクーリングパルス（Ｐｃ）を設けても、スペース部の照射光パワー（Ｗ４）を高く設定することでアドレス検出を比較的容易に実施できる利点を有する。後述する図１１に示すように、Ｐｃ＝０．７５ｍＷでは、ジッターが規格値９％以下になるパワー範囲の広さが他の場合と同じくらい広い。しかし、あまりパワーを高くすると、実質的にクーリングパルスを設けないのと同じことになってしまうので、これ以上高くすることは好ましくない。
本発明に該当するパワー制御波形の例を図５〜図７に示す。
【００１２】
また、熱干渉の影響を考慮して、直前のスペース長が最短長であるマークを形成する記録パルスの加熱パルス幅を、該マークの長さが最短長であるか否かで区別し、最短長マークの加熱パルス幅を最短長でないマークの加熱パルス幅よりも長く設定することで、より低ジッターな記録が実現できる。
更に、最短長マークを形成する記録パルスの加熱パルス幅を、該最短長マークの直前のスペース長が最短長であるか否かで区別し、直前のスペース長が最短であるマークの加熱パルス幅を、直前のスペース長が最短でないマークの加熱パルス幅よりも短く設定することで、一層低ジッターな記録が実現できる。
上記加熱パルス幅を短く設定するための補正量（長さ）は、２／１６Ｔ以下の範囲が特に好ましい。形成されるマークの直前のスペース長が最短長である場合に、そのマークを形成するパルスの加熱パルス幅が他のマークの場合と略等しいと、熱干渉により該直前のスペース長が短くなり、ジッターが若干悪化する。そこで、このような場合のみ、マークを記録するための加熱パルス幅を短くすると効果がある。更にパルス幅を短くしたい場合は加熱パルスの前エッジを短くすることが効果的なのは言うまでもない。
また、形成されるマークの直前のスペース長が最短長であるとき、そのマークを形成するパルスの加熱パルス幅が２／１６Ｔよりも短いと、マーク長自身が短くなり過ぎるので好ましくない。
最短長マークの加熱パルス幅を他のマークの場合よりも長く設定する際の補正量（長さ）は、１／１６Ｔ〜３／１６Ｔが好ましい。特に記録線速度が大きくなると最短長マークが形成し難くなるため、上記の範囲で補正して最短長マークの加熱パルス幅を長くする。
【００１３】
次に、記録層に必要な項目として光学特性が挙げられる。
光学特性としては、記録再生波長近傍の長波長近傍の波長域の光、即ち記録光及び再生光の波長±５ｎｍの波長域の光に対する記録層単層の屈折率ｎが１．５≦ｎ≦３．０であり、消衰係数ｋが０．０２≦ｋ≦０．２の範囲にあることが好ましい。ｎが１．５未満の場合には、十分な光学的変化を得難く記録変調度が低くなるため好ましくなく、ｎが３．０を越えると、波長依存性が高くなり過ぎ、記録再生波長領域であってもエラーとなってしまうため好ましくない。また、ｋが０．０２未満の場合には、記録感度が悪くなるため好ましくなく、ｋが０．２を越えると、５０％以上の反射率を得ることが困難となるので好ましくない。
なお、ＤＶＤは、再生専用機では６５０ｎｍ付近で規格化されているが、記録型媒体の記録光の波長はオーサリング専用媒体の６３５ｎｍの他に、一般用途として６５０〜６６０ｎｍで規格化されている。しかしながら、これらの波長はあくまで中心波長であり、ＬＤの製造のバラツキで短波長側、長波長側に振れる。またＬＤは、その特性上、一般的に温度が上昇すると波長が長波長側にシフトする。本発明は上記波長域を含む６００〜７２０ｎｍの記録波長、好ましくは６３５〜６６５ｎｍで実施可能な方法である。
【００１４】
次に、基板に設ける蛇行した案内溝のウォブル特性について述べるが、ウォブル周波数を特定するためのＴは基本クロック周期であり、ＤＶＤ（４．７ＧＢ）媒体であれば、約０．１３３μｍ、時間にして約３８ｎｓｅｃ．である。
通常、ウォブルの周波数帯としては１５０Ｔ〜４００Ｔ相当が用いられているが、この周波数帯は、周波数変調にしろ位相変調にしろデータの書き足しをする場合にウォブルの周波数が低すぎて、前データと書き足しデータとの間がかなり空いてしまい高密度記録には向かない。これに対しＤＶＤ−ＲではＬＰＰを設け、このＬＰＰ信号によりデータの書き込む位置を制御している。
しかしながら、ＬＰＰ方式ではＬＰＰの信号振幅が小さ過ぎるとＬＰＰが良好に読み出せず、逆にＬＰＰが大き過ぎると今度はＬＰＰ信号自体が書き込みデータへ漏れ込んでデータエラーが多発するという不具合が生じるため、ＬＰＰには、０．１６≦ＬＰＰｂ≦０．３２、好ましくは０．１８≦ＬＰＰｂ≦０．２６という制約が生じ、スタンパ作成の際、ランドのカット幅を微細に制御しなくてはならない。
これに対し、高周波ウォブルにすればＬＰＰは必要なくなり、ウォブルを変調して同期をとるため、ＬＰＰ方式の様にデータエラーが多発するような事態には至らない。本発明３で規定するように、ウォブルの好ましい周波数は４Ｔ〜９６Ｔである。４Ｔより小さいと高周波数すぎて検出し難くなり、回転制御やアドレス検知信頼性の点でも問題がある。一方、９６Ｔより大きくなると周波数が低すぎて、データを追記書きする際の継ぎ目に間隔が開きすぎ、容量の低下やデータ処理速度低下等の問題を生じる。
【００１５】
本発明が対象とするＤＶＤ媒体のウォブルの振幅は、適当なフィルター、例えば４ＭＨｚ、３０ｋＨｚのハイ、ロウパスフィルターを通した信号のウォブル振幅（Ｗｏ）と、適当なフィルター、例えば３０ｋＨｚのフィルターを通したプシュプル信号（ＰＰ）の比Ｗｏ／ＰＰが、０．１≦Ｗｏ／ＰＰ≦０．４を満足するようなものであれば、本発明の目的であるウォブルでの同期合わせは容易であり、更に好ましくは０．１５≦Ｗｏ／ＰＰ≦０．３０の範囲である。Ｗｏ／ＰＰの値が０．１未満では同期をとるのに不十分な信号強度であり、０．４を越えるとデータ部エラーが増えてくる傾向にある。但し、ＬＰＰ方式に比べ、ＬＰＰが大きな媒体のデータエラー発生への影響度は小さくウォブル振幅の増加に伴うデータエラーは緩やかである。
更にスタンパを作成する際、ＬＰＰ方式のＬＰＰカット幅を前述した０．１６〜０．３２の範囲内にするには高度なカット幅制御技術を必要とするが、本発明の高周波ウォブル方式においては高周波発生源とウォブルの振り量の大きさ（ウォブル振り量を制御する回路で振り量は任意に再現性よく作成できる）を管理しさえすれば目的が達成されるため、スタンパの歩留まりや、媒体の歩留まりを飛躍的に向上させることができる。
【００１６】
また、上記のフォーマットを有する基板の溝形状としては、有機色素を用いて溶剤塗工法により記録層を形成する場合を例にとると、好ましい溝深さは１０００〜２５００Åであり、更に好ましくは１５００〜２０００Åである。溝深さが１０００Å未満ではプシュプル信号が充分にとれずトラッキング制御ができない。また、２５００Åを越えると基板成形の際に転写性が甘くなるため好ましくない。
更に、色素記録層を設けた場合の色素溝深さはウォブル周波数をｍＴ（ｍは自然数）とし、色素溝深さをｄ１とした時に１２００≦ｄ１×ｍ≦１６００００の範囲にあることが好ましい。ｄ１×ｍが１２００を下回ると充分な差信号が得られず、記録再生時に充分なトッラキングが行えないし、ｄ１×ｍが１６００００を上回ると逆に発振してしまうためやはりトラッキングには好ましくなく、更に前述した基板成形の転写限界に起因する基板溝深さの限界もあって、実質的には１６００００を上回ることは出来ない。
また、記録密度４〜５ＧＢの容量を確保するためにトラックピッチは０．６４〜０．８μｍ程度が必要である。溝幅に関しては、記録材料によって異なるが、ほぼ全ての有機材料において、半値幅０．１８〜０．４０μｍの幅で適用できる。
【００１７】
次に、本発明の対象となる色素系追記型ＤＶＤ媒体の層構成、各層の必要特性及び構成材料について説明する。
図２（ａ）〜（ｄ）は、通常の追記型光ディスクの層構成例であり、図３（ａ）〜（ｃ）は通常のＣＤ−Ｒ媒体の層構成例であり、図４（ａ）〜（ｄ）は追記型ＤＶＤ媒体の層構成例である。特に図４（ｄ）は片面２層型の記録媒体構成である。本発明の対象となる色素系追記型ＤＶＤ媒体の好ましい基本構成は、図４（ｂ）〜（ｄ）に示すような、第１基板と第２基板（保護基板）を、記録層を中にして接着剤で貼り合わせたものである。
記録層は有機色素層単層でも、反射率を高めるため有機色素層と反射層との積層でも良い。記録層と基板の間には下引き層又は保護層を設けてもよく、機能向上のため各層を２層以上の積層構造とした構成でも良い。最も普通に用いられるのは、第１基板／有機色素層／反射層／保護層／接着層／第２基板（保護基板）からなる構造である。
【００１８】
《基板》
基板は、基板側から記録再生を行なう場合には使用レーザに対して透明でなければならないが、記録層側から記録再生を行なう場合には透明である必要はない。基板材料としては、例えばポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、或いは、ガラス、セラミック、金属などを用いることができる。なお、基板の表面にはトラッキング用の案内溝や案内ピット、更にアドレス信号などのプリフォーマットが形成されていても良い。
【００１９】
《記録層》
記録層はレーザ光の照射により何らかの光学的変化を生じさせ、その変化により情報を記録するものであり、その材料としては有機色素を主成分とするものを用いる。ここで、主成分とは、記録再生に必要十分な量の有機色素を含有することを意味するが、通常は、必要に応じて適宜添加する少量の添加剤を除き、有機色素のみを用いる。
有機色素の例としては、アゾ系、ホルマザン系、ジピロメテン系、（ポリ）メチン系、ナフタロシアニン系、フタロシアニン系、テトラアザポルフィリン系、スクアリリウム系、クロコニウム系、ピリリウム系、ナフトキノン系、アントラキノン系（インダンスレン系）、キサンテン系、トリフェニルメタン系、アズレン系、テトラヒドロコリン系、フェナンスレン系、トリフェノチアジン系色素、或いはそれらの金属錯体などが挙げられる。中でも好ましいのは、アゾ（金属キレート）色素、ホルマザン（金属キレート）色素、スクアリリウム（金属キレート）色素、ジピロメテン（金属キレート）色素、トリメチンシアニン色素、テトラアザポルフィリン色素である。
上記色素は熱分解特性として、分解開始温度１００〜３６０℃のものが好ましく、特に１００〜３５０℃のものが好ましい。分解開始温度が３６０℃を越えると記録時のピット形成がうまく行われずジッター特性が悪くなる。また、１００℃未満であるとディスクの保存安定性が悪化する。
【００２０】
上記色素には光学特性、記録感度、信号特性などの向上の目的で他の有機色素、金属、金属化合物を混合してもよく、或いは色素層と他の有機色素、金属、金属化合物からなる層を積層しても良い。
このような金属、金属化合物の例としては、Ｉｎ、Ｔｅ、Ｂｉ、Ｓｅ、Ｓｂ、Ｇｅ、Ｓｎ、Ａｌ、Ｂｅ、ＴｅＯ２、ＳｎＯ、Ａｓ、Ｃｄなどが挙げられ、それぞれを分散混合するか或いは積層して用いることができる。
更に、上記染料中に高分子材料、例えばアイオノマー樹脂、ポリアミド樹脂、ビニル系樹脂、天然高分子、シリコーン、液状ゴムなどの種々の材料、或いはシランカップリング剤などを分散混合しても良いし、特性改良の目的で安定剤（例えば遷移金属錯体）、分散剤、難燃剤、滑剤、帯電防止剤、界面活性剤、可塑剤などを一緒に用いることも出来る。
【００２１】
記録層の形成は、蒸着、スパッタリング、ＣＶＤ、溶剤塗布などの通常の手段によって行うことができる。塗布法を用いる場合には、上記染料などを有機溶剤に溶解し、スプレー、ローラーコーティグ、ディッピング、スピンコーティングなどの慣用のコーティング法によって行うことが出来る。用いられる有機溶媒としては一般にメタノール、エタノール、イソプロパノールなどのアルコール類；アセトン、メチルエチルケトン、シクロヘキサノンなどのケトン類；Ｎ，Ｎ−ジメチルホルムアミド、Ｎ，Ｎ−ジメチルアセトアミドなどのアミド類；ジメチルスルホキシドなどのスルホキシド類；テトラヒドロフラン、ジオキサン、ジエチルエーテル、エチレングリコールモノメチルエーテルなどのエーテル類；酢酸メチル、酢酸エチルなどのエステル類；クロロホルム、塩化メチレン、ジクロルエタン、四塩化炭素、トリクロルエタンなどの脂肪族ハロゲン化炭化水素類；ベンゼン、キシレン、モノクロルベンゼン、ジクロルベンゼンなどの芳香族類；メトキシエタノール、エトキシエタノールなどのセロソルブ類；ヘキサン、ペンタン、シクロヘキサン、メチルシクロヘキサンなどの炭化水素類などが挙げられる。
記録層の膜厚は１００Å〜１０μｍ、好ましくは２００〜２０００Åが適当である。
【００２２】
《下引き層》
下引き層は、（１）接着性の向上、（２）水又はガスなどのバリアー、（３）記録層の保存安定性の向上、（４）反射率の向上、（５）溶剤からの基板の保護、（６）案内溝、案内ピット、プレフォーマットの形成などの目的で設けられる。（１）の目的に対しては、アイオノマー樹脂、ポリアミド樹脂、ビニル樹脂、天然樹脂、天然高分子、シリコーン、液状ゴムなどの種々の高分子化合物、又はシランカップリング剤などを用いることができる。（２）及び（３）の目的に対しては、上記高分子材料以外に、ＳｉＯ、ＭｇＦ、ＳｉＯ２、ＴｉＯ、ＺｎＯ、ＴｉＮ、ＳｉＮなどの無機化合物を用いることができ、更に、Ｚｎ、Ｃｕ、Ｎｉ、Ｃｒ、Ｇｅ、Ｓｅ、Ａｕ、Ａｇ、Ａｌなどの金属又は半金属を用いることができる。（４）の目的に対しては、Ａｌ、Ａｕ、Ａｇ等の金属や、メチン染料、キサンテン系染料などからなる金属光沢を有する有機薄膜を用いることができる。（５）及び（６）の目的に対しては、紫外線硬化樹脂、熱硬化樹脂、熱可塑性樹脂などを用いることができる。
下引き層の膜厚としては、０．０１〜３０μｍ、好ましくは、０．０５〜１０μｍが適当である。
【００２３】
《反射層》
反射層の材料としては、Ａｕ、Ａｇ、Ｃｒ、Ｎｉ、Ａｌ、Ｆｅ、Ｓｎなどの単体で高反射率の得られる腐食され難い金属や半金属が挙げられるが、反射率や生産性の点からＡｕ、Ａｇ、Ａｌが特に好ましい。また、これらの金属や半金属は単独で使用しても２種以上の合金として使用しても良い。
膜形成法としては蒸着、スッパタリングなどが挙げられ、膜厚としては、５０〜５０００Å、好ましくは、１００〜３０００Åである。
【００２４】
《保護層、基板面ハードコート層》
保護層及び基板面ハードコート層は、（１）記録層（反射吸収層）の傷、ホコリ、汚れ等からの保護、（２）記録層（反射吸収層）の保存安定性の向上、（３）反射率の向上等を目的として使用される。これらの目的に対しては、前記下引き層と同じ材料を用いることができる。また、ポリメチルアクリレート樹脂、ポリカーボネート樹脂、エポキシ樹脂、ポリスチレン樹脂、ポリエステル樹脂、セルロース樹脂、脂肪族炭化水素樹脂、天然ゴム、スチレンブタジエン樹脂、クロロプレンゴム、ワックス、アルキッド樹脂、乾性油、ロジン等の熱軟化性、熱溶融性樹脂などの有機材料を用いることもできる。最も好ましいのは生産性に優れた紫外線硬化樹脂である。
保護層又は基板面ハードコート層の膜厚は、０．０１〜３０μｍ、好ましくは０．０５〜１０μｍである。
上記下引き層、保護層及び基板面ハードコート層には、記録層の場合と同様に安定剤、分散剤、難燃剤、滑剤、帯電防止剤、界面活性剤、可塑剤等を含有させることができる。
【００２５】
《保護基板》
保護基板は、保護基板側からレーザ光を照射する場合には、使用レーザ光に対して透明でなければならないが、単なる保護板として用いる場合には透明でなくてもよい。
使用可能な保護基板材料は前記基板材料と全く同じであり、ポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、又はガラス、セラミック、金属などを用いることができる。
《接着層》
接着層の材料としては、２枚の記録媒体を接着できる材料なら何でもよく、生産性を考慮すると、紫外線硬化型接着剤又はホットメルト型接着剤が好ましい。
上記構成の色素系追記型ＤＶＤ媒体において、本発明１〜９の何れかの記録方法を実施するのに最適な最短長マークのパルスパワー情報と、マーク形成に対応するパルス光以外の照射光のパワー情報を、予め案内溝に記録しておくことにより、本発明の記録方法を容易に実施することが可能となる。
【００２６】
次に本発明の記録再生装置について説明する。
大容量の情報を記録する装置として光ディスクが使用されているが、光ディスクは通常光ディスクドライブ（記録再生装置）によって記録再生される。ここで、光ディスクと光ディスクドライブの構成について概略を説明する。
ＤＶＤ−ＲＡＭ・ＷＯ、ＤＶＤ−Ｒ、ＤＶＤ＋Ｒ、及びＤＶＤ−ＲＡＭ、ＤＶＤ−ＲＷ、ＤＶＤ＋ＲＷディスクは、書き込みが可能な（記録可能な）ＤＶＤ（Ｄｉｇｉｔａｌ  Ｖｅｒｓａｔｉｌｅ  Ｄｉｓｃ）である。ＤＶＤ−ＲＡＭ・ＷＯ、ＤＶＤ−Ｒ、ＤＶＤ＋Ｒは、１回だけ書き込みが可能なＤＶＤである（なお、ＤＶＤ  Ｗｒｉｔｅ  Ｏｎｃｅとも言われている）。また、ＤＶＤ−ＲＡＭ、ＤＶＤ−ＲＷ、ＤＶＤ＋ＲＷは、複数回の書き込みが可能なＤＶＤである。これらのＤＶＤ＋ＲやＤＶＤ＋ＲＷディスク等の光ディスクは、次の図８のようなドライブによって情報の記録再生が行われる。
【００２７】
図８は、光ディスクドライブについて、その要部構成の一例を示す機能ブロック図である。図において、１１は光ディスク、１２はスピンドルモータ、１３は光ピックアップ、１４はモータドライバ、１５はリードアンプ、１６はサーボ手段、１７はＤＶＤデコーダ、１８はＡＤＩＰデコーダ、１９はレーザコントローラ、２０はＤＶＤエンコーダ、２１はＤＶＤ−ＲＯＭエンコーダ、２２はバッファＲＡＭ、２３はバッファマネージャ、２４はＤＶＤ−ＲＯＭデコーダ、２５はＡＴＡＰＩ／ＳＣＳＩインターフェース、２６はＤ／Ａコンバータ、２７はＲＯＭ、２８はＣＰＵ、２９はＲＡＭを示し、ＬＢはレーザ光、Ａｕｄｉｏはオーディオ出力信号を示す。
【００２８】
この図８において、矢印はデータが主に流れる方向を示しており、また、図を簡略化するために、図８の各ブロックを制御するＣＰＵ２８には、太線のみを付けて各ブロックとの接続を省略している。ＲＯＭ２７には、ＣＰＵ２８にて解読可能なコードで記述された制御プログラムが格納されている。なお、光ディスクドライブの電源がオン状態になると、前記プログラムはメインメモリ（図示せず）にロードされ、前記ＣＰＵ２８はそのプログラムに従って上記各部の動作を制御すると共に、制御に必要なデータ等を一時的にＲＡＭ２９に保存する。
光ディスクドライブの構成と動作は、次の通りである。光ディスク１１は、スピンドルモータ１２によって回転駆動される。このスピンドルモータ１２は、モータドライバ１４とサーボ手段１６により、線速度又は角速度が一定になるように制御される。この線速度又は角速度は、階段的に変更することが可能である。
【００２９】
光ピックアップ１３は、図示されない半導体レーザ、光学系、フォーカスアクチュエータ、トラックアクチュエータ、受光素子及びポジションセンサを内蔵しており、レーザ光ＬＢを光ディスク１１に照射する。また、この光ピックアップ１３は、シークモータによってスレッジ方向への移動が可能である。これらのフォーカスアクチュエータ、トラックアクチュエータ、シークモータは、受光素子とポジションセンサから得られる信号に基づいて、モータドライバ１４とサーボ手段１６により、レーザ光ＬＢのスポットが光ディスク１１上の目的の場所に位置するように制御される。
そして、リード時には、光ピックアップ１３によって得られた再生信号が、リードアンプ１５で増幅されて２値化された後、ＤＶＤデコーダ１７に入力される。入力された２値化データは、このＤＶＤデコーダ１７において、８／１６復調される。なお、記録データは、８ビットずつ纏められて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００３０】
復調されたデータは、デインターリーブとエラー訂正の処理が行われる。その後、このデータは、ＤＶＤ−ＲＯＭデコーダ２４へ入力され、データの信頼性を高めるために更にエラー訂正の処理が行われる。このように２回のエラー訂正の処理が行われたデータは、バッファマネージャ２３によって一旦バッファＲＡＭ２２に蓄えられ、セクタデータとして揃った状態で、ＡＴＡＰＩ／ＳＣＳＩインターフェース２５を介して、図示しないホストコンピュータへ一気に転送される。なお、音楽データの場合には、ＤＶＤデコーダ１７から出力されたデータが、Ｄ／Ａコンバータ２６へ入力され、アナログのオーディオ出力信号Ａｕｄｉｏとして取り出される。
また、ライト時には、ＡＴＡＰＩ／ＳＣＳＩインターフェース２５を通して、ホストコンピュータから送られてきたデータは、バッファマネージャ２３によって一旦バッファＲＡＭ２２に蓄えられる。その後、ライト動作が開始されるが、この場合には、その前にレーザスポットを書き込み開始地点に位置させる必要がある。この地点は、ＤＶＤ＋ＲＷ／＋Ｒでは、予め光ディスク１１上にトラックの蛇行により刻まれているウォブル信号によって求められる。
【００３１】
なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
ＤＶＤ＋ＲＷ／＋Ｒディスクにおけるウォブル信号には、ＡＤＩＰ（ＡＤｒｅｓｓ  Ｉｎ  Ｐｒｅ−ｇｒｏｏｖｅ）と呼ばれるアドレス情報が含まれており、この情報が、ＡＤＩＰデコーダ１８によって取り出される。また、このＡＤＩＰデコーダ１８によって生成される同期信号は、ＤＶＤエンコーダ２０へ入力され、光ディスク１１上の正確な位置へのデータの書き込みを可能にしている。バッファＲＡＭ２２のデータは、ＤＶＤ−ＲＯＭエンコーダ２１やＤＶＤエンコーダ２０において、エラー訂正コードの付加や、インターリーブが行われ、レーザコントローラ１９、光ピックアップ１３を介して、本発明の記録波形により光ディスク１１に記録される。
【００３２】
本発明１１の記録再生装置は、案内溝を有する基板上に形成された有機色素を主成分とする記録層に対し、最短長マークを最も高出力化された１つのパルス光で記録し、２番目以降の長さのマークを、最短長マークのパルスパワー以下で、かつパルス先端部と後端部の２カ所が一定時間高出力化された１つのパルス光で記録するに当たり、前記マーク記録時において、マーク形成に対応するパルス光の前に、マーク形成に対応するパルス光以外の照射光であって、そのパルスパワーが最短長マークのパルスパワーの１．２〜２２％である光を照射し、かつ記録線速度を１２ｍ／ｓ以上とする機能を有するので高線速における高品質記録が実現可能である。
また、本発明１２の記録再生装置においては、最適な最短長マークのパルスパワー情報と、マーク形成に対応するパルス光以外の照射光のパワー情報が、予め案内溝に記録されている本発明１０に係る色素系追記型ＤＶＤ媒体を用いることにより、ディスクに最適な記録条件を容易に設定することができる。即ち、記録再生装置で案内溝に記録された上記パルスパワー情報を読み出して記録条件を設定することにより、記録エラーのない最適記録が可能になる。ＤＶＤ+Ｒの場合の具体例としては、案内溝にウォブル信号として記録されたＡＤＩＰ情報をエンコードし、上記パルスパワーが設定できる。
【００３３】
図９は、図８に示す光ディスクドライブを使用した情報処理装置の概略図である。
情報処理装置は、主制御装置、インターフェース、記録装置、入力装置及び表示装置などを備えている。
主制御装置は、ＣＰＵ（中央処理装置、マイクロコンピュータ）、メインメモリ（何れも図示せず）などを含んで構成され、ホストコンピューターの全体を制御する。
インターフェースは、光ディスクドライブとの双方向の通信インターフェースであり、ＡＴＡＰＩ及びＳＣＳＩ等の標準インターフェースに準拠している。インターフェースは前述した光ディスクドライブのインターフェース２５と接続されている。なお、各インターフェース間の接続形態は、通信ケーブル（例えばＳＣＳＩケーブル）などの通信線を用いたケーブル接続だけでなく、赤外線などを利用したワイヤレス接続であっても良い。
【００３４】
記録装置（ＨＤＤ、ハードディスク）には、主制御装置のマイクロコンピュータで解読可能なコードで記述されたプログラムが格納されている。なお、情報処理装置の駆動電源がオン状態になると、上記プログラムは主制御装置のメインメモリにロードされる。
表示装置は、例えばＣＲＴ、液晶ディスプレイ（ＬＣＤ）、プラズマディスプレイパネル（ＰＤＰ）などの表示部（図示せず）を備え、制御装置からの各種情報を表示する。
入力装置は、例えばキーボード、マウス、ポインティングデバイスなどのうち少なくとも１つの入力媒体（図示せず）を備え、ユーザから入力された各種情報を主制御装置に通知する。なお、入力媒体からの情報はワイヤレス方式で入力されても良い。また、表示装置と入力装置とが一体化したものとして、例えばタッチパネル付きＣＲＴなどがある。また、情報処理装置はオペレーティングシステム（ＯＳ）を搭載している。そして、情報処理装置を構成する全てのデバイスはＯＳによって管理されているものとする。
【発明の効果】
【００３５】
本発明によれば、色素系追記型ＤＶＤ媒体に対し、１２ｍ／ｓ以上の線速度で低ジッター、低エラー率な記録が可能であり、ＤＶＤ−Ｒで用いているランドプリピットフォーマットよりも簡単に製造可能な高周波ウォブルフォーマットで、データ部の書き足しを効率良く実施できる。
更に、本発明２〜４によれば、書き足しデータ部先頭の未記録領域を低減でき、低エラー率な色素系ＤＶＤ媒体の記録方法を提供できる。
【実施例】
【００３６】
以下、実施例及び比較例により本発明を更に具体的に説明するが、本発明は、これらの実施例により限定されるものではない。
【００３７】
《実施例、比較例》
溝深さ３２０Å、溝幅（底幅）０．２５μｍ、トラックピッチ０．７４μｍ、ウォブル周波数３２Ｔ相当の案内溝凸凹パターンを有する、直径１２０ｍｍ、厚さ０．５７ｍｍのポリカーボネート製の第２基板の表面上に、Ａｒをスパッタガスとして、スパッタ法により厚さ約１５００ÅのＡｇＩｎ（約９９．５／０．５）からなる第２反射層を形成した。
次に、該反射層の表面に、下記〔化１〕のスクアリリウム色素化合物を２，２，３，３−テトラフルオルプロパノールに溶解した塗布液をスピンコートすることにより厚さ約８００Åの第２記録層を設けた。この第２記録層の光吸収スペクトルは、最大吸収波長が６０７ｎｍ、最大吸収波長での吸光度（Ａｂｓ）が１．１９であった。色素膜厚は断面ＴＥＭ像にて確認した。この色素の熱分解温度は２８０℃であった。
更にその上に、Ａｒをスパッタガスとしてスパッタ法によりＺｎＳ−ＳｉＣ（８／２比率）を約１５００Åの厚さに設けて無機保護層を形成し第２の情報基板を作成した。
一方、溝深さ１５００Å、溝幅（底幅）０．２５μｍ、トラックピッチ０．７４μｍの案内溝凸凹パターンを有する直径１２０ｍｍ、厚さ０．５８ｍｍのポリカーボネート製の第１基板の表面上に、下記〔化１〕のスクアリリウム色素化合物と下記〔化２〕のホルマザン金属キレートを７／３の重量比で混合し、２，２，３，３−テトラフルオルプロパノールに溶解した塗布液をスピンコートすることにより、厚さ約５００Åの第１記録層を設け、その上にＡｒをスパッタガスとして、スパッタ法により厚さ約１２０ÅのＡｇＩｎ（約９９．５／０．５）反射層を形成して第１の情報基板を作成した。
次いで、上記第１と第２の情報基板を、紫外線硬化型接着剤（日本化薬製ＫＡＲＡＹＡＤ  ＤＶＤ５７６）で貼り合わせ、図４（ｄ）の片面２層構成の光記録媒体を得た。
【００３８】
【化１】
2006252750.tif 000003
【化２】
2006252750.tif 000004
【００３９】
上記光記録媒体の第１記録層に対し、波長６５７ｎｍ、ＮＡ：０．６５、線速度３０．６４ｍ／ｓの条件でＤＶＤ（８−１６）信号を記録した後、線速度３．８３ｍ／ｓで再生評価を行った。評価装置はパルステック社製のＯＤＵ１０００を使用した。
記録パルス波形は図５に示すものを用い、Ｗ０＝Ｗ１＝Ｗ３、クーリングパルス：なし（即ち、Ｐｃ＝Ｗ４）、Ｗ１／Ｗ２＝１．５とし、Ｗ４＝０ｍＷ、０．７５ｍＷ、１．５ｍＷの３条件でのジッター値の記録パワー（Ｗ０）依存性を測定した。
その結果、図１０から分るように、Ｗ４が、１．５ｍＷ＞０．７５ｍＷ＞０ｍＷの序列で良好なジッター特性が得られ、Ｗ４設定の有効性が確認された。
次に、Ｗ１＝４１ｍＷ、Ｗ２＝２９．７５ｍＷとし、Ｗ４／Ｗ１、Ｔｃ、Ｐｃ（クーリングパルスの照射光パワー）を変更してジッター値を測定した。なお、線速度３０．６４ｍ／ｓ条件については図６に示す記録パルス波形を用い、線速度１２．６４ｍ／ｓ条件については図７に示す記録パルス波形を用いた。
その結果、３０．６４ｍ／ｓ条件では、図１１のように、Ｗ４／Ｗ１＝１．２〜２２％でＤＶＤ＋Ｒ規格値（９％以下）を満足する良好な特性が得られ、Ｗ４／Ｗ１＝２．４〜１９．５％でジッター値７％以下となる良好な結果が得られた。
また、１２．６４ｍ／ｓ条件では、Ｗ４／Ｗ１＝３．６％、Ｔｃなし、Ｐｃ＝０．７５ｍＷの条件でジッター値７．９％が得られた。
【図面の簡単な説明】
【００４０】
【図１】本発明の基本的なパルス照射パターンを示す図。
【図２】（ａ）〜（ｄ）  通常の追記型光記録媒体の層構成例を示す図。
【図３】（ａ）〜（ｃ）  通常のＣＤ−Ｒ媒体の層構成例を示す図。
【図４】（ａ）〜（ｄ）  色素系追記型ＤＶＤ媒体の層構成例を示す図。
【図５】本発明に該当するパワー制御波形の例を示す図。
【図６】本発明に該当するパワー制御波形の別の例を示す図。
【図７】本発明に該当するパワー制御波形の更に別の例を示す図。
【図８】光ディスクドライブの要部構成の一例を示す機能ブロック図。
【図９】図７に示す光ディスクドライブを使用した情報処理装置の概略図。
【図１０】実施例、比較例の光記録媒体のジッター値の記録パワー（Ｗ０）依存性を示す図。
【図１１】線速度３０．６４ｍ／ｓ条件におけるジッターの測定結果を示す図。
【符号の説明】
【００４１】
１  基板
２  記録層
３  下引き層
４  保護層
５  ハードコート層
６  反射層
７  保護基板
８  接着層
ｓｐａｃｅ  スペース
ｍａｒｋ  マーク
Ｔ  基本クロック周期
Ｔｃ  クーリング時間
Ｐｃ  クーリングパルスの照射光パワー
ｎ  ３以上の整数
ｐｓ  直前のスペース長
ｃｍ  記録マーク長
Ｗ０  最短長マークの記録パワー
Ｗ１  短い方から２番目以降の長さのマークのパルス先端部の記録パワー
Ｗ２  短い方から２番目以降の長さのマークの上乗せなし記録パワー
Ｗ３  短い方から２番目以降の長さのマークのパルス後端部の記録パワー
Ｗ４  マーク形成に対応するパルス光以外の照射光のパワー
【図１】
2006252750.tif 000005
【図２】
2006252750.tif 000006
【図３】
2006252750.tif 000007
【図４】
2006252750.tif 000008
【図５】
2006252750.tif 000009
【図６】
2006252750.tif 000010
【図７】
2006252750.tif 000011
【図８】
2006252750.tif 000012
【図９】
2006252750.tif 000013
【図１０】
2006252750.tif 000014
【図１１】
2006252750.tif 000015